(57)【要約】【課題】印刷物を読むのを支援する印刷物付加サービスシステムを提供する。【解決手段】  印刷物２０の販売時点で、販売者側サービス端末１１により印刷物２０に添付されたＲＦＩＤ２１に記録された印刷物識別コードを読み取り、サービス取得に必要な資格認証用のユーザＩＤを発行する。サービス提供者側管理装置１２では、クライアント端末２２からのサービス要求をサービス要求取得手段１７で受信し、ユーザ認証手段１８でサービス要求が有効かどうか判定し、有効と判定された場合に記憶手段１６に保存された所定の音声データを音声データ送信手段１９で送信する。【選択図】図１
2007304677.tif 000002
【特許請求の範囲】
【請求項１】
印刷物の購入者に当該印刷物の内容に係る音声データを通信回線を介して提供する印刷物
付加サービスシステムであって、
前記印刷物の販売時点で、当該印刷物に添付され当該印刷物の識別情報を示す印刷物識
別コードを読み取り印刷物識別情報を取得する印刷物識別情報取得手段と、
前記印刷物の販売時点で、前記購入者にサービスを提供するために付与される資格認証
用のユーザＩＤを発行するユーザＩＤ発行手段と、
前記印刷物識別コード、ユーザＩＤを含むユーザ情報を取得するユーザ情報取得手段と
、
各種音声データを前記印刷物識別コードと対応させて保存する記憶手段と、
ユーザのクライアント端末からのサービス要求を受信するサービス要求取得手段と、
取得されたサービス要求が、有効かどうか判定するユーザ認証手段と、
有効と判定された場合、前記サービス要求で指定された音声データを前記ユーザのクラ
イアント端末に送信する音声データ送信手段と、
を有することを特徴とする印刷物付加サービスシステム。
【請求項２】
前記印刷物付加サービスシステムは、販売者側サービス端末と、サービス提供者側管理装
置を有し、前記印刷物識別情報取得手段及び、ユーザＩＤ発行手段は、当該販売者側サー
ビス端末に含まれることを特徴とする請求項１に記載の印刷物付加サービスシステム。
【請求項３】
前記印刷物識別コードは、バーコードであり、印刷物識別情報取得手段は、バーコードリ
ーダを有することを特徴とする請求項２に記載の印刷物付加サービスシステム。
【請求項４】
前記印刷物識別コードは、ＲＦＩＤに格納され、印刷物識別情報取得手段は、ＲＦＩＤリ
ーダを有することを特徴とする請求項２に記載の印刷物付加サービスシステム。
【請求項５】
前記ユーザ情報を前記ＲＦＩＤに書き込むＲＦＩＤライターを有するユーザ情報書き込み
手段を前記販売者側サービス端末に備えたことを特徴とする請求項４に記載の印刷物付加
サービスシステム。
【請求項６】
前記音声データは、前記印刷物を読み上げた音読データである
ことを特徴とする請求項１に記載の印刷物付加サービスシステム。
【請求項７】
前記印刷物の少なくとも一部について、前記音声データは、機械的に生成された機械音お
よび肉声の少なくとも２種類の音声データが前記印刷物に対応付けられて保存され、前記
サービス要求によって、少なくとも一方が選択可能に構成されている、
ことを特徴とする請求項１または請求項３に記載の印刷物付加サービスシステム。
【請求項８】
前記サービス提供者側管理装置は、前記サービス認証用のユーザＩＤと、前記印刷物識別
情報とを対応付けて、利用履歴を保存し、同一印刷物への重複したサービスを防止可能に
構成したことを特徴とする請求項１から請求項３のいずれか１項に記載の印刷物付加サー
ビスシステム。
【請求項９】
前記ユーザ情報は、少なくとも前記印刷物識別コード、ユーザＩＤ、およびパスワードを
含む
ことを特徴とする請求項１から請求項３のいずれか１項に記載の印刷物付加サービスシス
テム。
【請求項１０】
前記音声データの一部または全部が課金サービスデータであって、
前記課金サービスデータの取得に必要な料金支払い情報が前記サービス提供者側管理装置
に記憶され、前記料金支払い情報に基づいて前記課金サービスデータの提供可否が判定さ
れる
ことを特徴とする請求項１から請求項３のいずれか１項に記載の印刷物付加サービスシス
テム。
【請求項１１】
前記印刷物の少なくとも一部について、前記音声データは、俳優の肉声、声優の肉声、地
方の方言の少なくとも３種類の音声データが前記印刷物に対応付けられて保存され、前記
サービス要求によって、いずれか１つが選択可能に構成されている、
ことを特徴とする請求項１から請求項３のいずれか１項に記載の印刷物付加サービスシス
テム。
【請求項１２】
印刷物の購入者に当該印刷物の内容に係る音声データを通信回線を介して提供する印刷
物付加サービスシステムにおいて、
前記印刷物の販売時点で、当該印刷物に添付され当該印刷物の識別データを示す商品識
別コードを読み取り印刷物識別コードを取得するステップと、
前記印刷物の販売時点で、前記購入者にサービスを提供するために付与される資格認
証用のユーザＩＤを発行するステップと、
前記印刷物識別コード、ユーザＩＤを含むユーザ情報を取得するステップと、
ユーザのクライアント端末からのサービス要求を受信するステップと、
取得されたサービス要求が、有効かどうか判定するユーザ認証ステップと、
有効と判定された場合、サービス要求で指定された音声データを前記ユーザのクライア
ント端末に送信するステップと、を有する印刷物付加サービスシステムの制御方法。
【請求項１３】
コンピュータに前記請求項１２に記載の印刷物付加サービスシステムの制御方法におけ
る各ステップを実行させるためのプログラム。
【発明の詳細な説明】
【技術分野】
【０００１】
本発明は、印刷物の内容に係る音声データを購入者に提供するための印刷物付加サービ
スシステムに関するものである。
【背景技術】
【０００２】
従来、書籍等の印刷物を読むためには、出版者が印刷・製本したものを書店等の販売者か
ら購入する必要があった。通常の印刷物については、出版者は通常の読者が苦痛なく読み
取れる程度の大きさの文字で印刷物を作成するのが一般的である。また、印刷物のページ
数が膨大にならないようにするためにも、文字の大きさをある程度制限する必要があった
。
【０００３】
また近年では、電子機器の発展に伴って例えば電子ブックが既に実用化されており、印
刷物によらない書物等が販売されている（特許文献１）。しかしながら、販売されている
書籍類は極めて少なく、また電子ブックの画面が読みづらいといった問題もあって、広く
普及するには至っていない。
【０００４】
一方、印刷物の購入と同時に該印刷物に掲載された内容に関連する情報を、ネットワー
クを介して提供するようにしたシステムに係る技術についても開示されている。例えば、
特許文献２では、出版物に掲載されている駅またはインターチェンジの周辺に係る情報を
提供するシステムについて記載されており、該システムにおける周辺情報提供方法に係る
技術が開示されている。
【特許文献１】特開２００４−２３３６０３号公報
【特許文献２】特開２００４−１８２０８７号公報
【発明の開示】
【発明が解決しようとする課題】
【０００５】
上記のように、従来の印刷物では紙面の大きさやページ数の制約等から、文字の大きさ
をあまり大きくすることはできなかった。これは、媒体として特許文献１に記載の電子ブ
ックを用いる場合でも同様であって、やはり文字の大きさを制限して一画面あたりの文字
数を増やして表示するようにしている。
【０００６】
しかしながら、年齢が高くなるにつれて視力の低下が進むため、中高齢者にとって印刷
物を読むのに困難を感じているのが一般的である。特許文献２には、印刷物の購入者に情
報提供を行うシステムが開示されているものの、これらのシステムは印刷物の内容に関連
する情報を提供するものであるので、印刷物の読み取りが困難な購読者や印刷物の内容を
視覚以外の方法でより多角的に楽しみたい購読者を支援することはできない。
【０００７】
そこで、本発明はこれらの問題を解決するためになされたものであり、印刷物の内容を
音声で聴くことができる印刷物付加サービスシステムを提供することを目的とする。
【課題を解決するための手段】
【０００８】
この発明の印刷物付加サービスシステムにかかる第１の態様は、印刷物の購入者に当該
印刷物の内容に係る音声データを通信回線を介して提供する印刷物付加サービスシステム
であって、前記印刷物の販売時点で、当該印刷物に添付され当該印刷物の識別情報を示す
印刷物識別コードを読み取り印刷物識別情報を取得する印刷物識別情報取得手段と、前記
印刷物の販売時点で、前記購入者にサービスを提供するために付与される資格認証用のユ
ーザＩＤを発行するユーザＩＤ発行手段と、前記印刷物識別コード、ユーザＩＤを含むユ
ーザ情報を取得するユーザ情報取得手段と、各種音声データを前記印刷物識別コードと対
応させて保存する記憶手段と、ユーザのクライアント端末からのサービス要求を受信する
サービス要求取得手段と、取得されたサービス要求が、有効かどうか判定するユーザ認証
手段と、有効と判定された場合、前記サービス要求で指定された音声データを前記ユーザ
のクライアント端末に送信する音声データ送信手段と、を有することを特徴とする。
【０００９】
印刷物としては、例えば、小説などの文学書の他、専門書や子供向けの絵本などであっ
てよい。さらには、学術論文などの特定分野で利用される印刷物であってもよい。音声デ
ータは、これら印刷物に記載されている内容を音声により出力するデータである。前記印
刷物の購入者は、前記ユーザＩＤを取得することにより、前記印刷物を直接読む代わりに
、前記音声データを取得することにより印刷物の内容を音声として聴くことができるので
、より快適に前記印刷物の内容を知ることができるようになる。
【００１０】
本発明にかかる印刷物付加サービスシステムの他の態様は、前記印刷物付加サービスシ
ステムが、販売者側サービス端末と、サービス提供者側管理装置（サーバ）を有し、前記
印刷物識別情報取得手段及び、ユーザＩＤ発行手段が、当該販売者側サービス端末に含ま
れることを特徴とする。印刷物識別情報取得手段及びユーザＩＤ発行手段を販売者側サー
ビス端末に持たせることにより、購入者に対してサービス提供を速やかに開始することが
可能となる。
【００１１】
本発明にかかる印刷物付加サービスシステムの他の態様は、前記印刷物識別コードが、
バーコードであり、印刷物識別情報取得手段が、バーコードリーダを有することを特徴と
する。印刷物識別コードとしてバーコードを用いることにより、バーコードリーダで印刷
物識別情報を容易に取得することが可能となる。
【００１２】
本発明にかかる印刷物付加サービスシステムの他の態様は、前記印刷物識別コードが、
ＲＦＩＤに格納され、印刷物識別情報取得手段が、ＲＦＩＤリーダを有することを特徴と
する。印刷物識別コードをＲＦＩＤに格納させるようにした場合には、ＲＦＩＤリーダを
用いて印刷物識別情報を容易に取得することが可能となる。
【００１３】
本発明にかかる印刷物付加サービスシステムの他の態様は、前記ユーザ情報を前記ＲＦ
ＩＤに書き込むＲＦＩＤライターを有するユーザ情報書き込み手段を前記販売者側サービ
ス端末に備えたことを特徴とする。ＲＦＩＤを用いた場合には、印刷物識別コードを格納
できるだけでなく、ユーザ情報を書き込んで販売履歴を管理させるようにすることも可能
となる。
【００１４】
本発明にかかる印刷物付加サービスシステムの他の態様は、前記音声データが、前記印
刷物を読み上げる音読データであることを特徴とする。印刷物を読み上げた音声データを
提供することで、購入者は印刷物の内容を音声のみで知ることができる。
【００１５】
本発明にかかる印刷物付加サービスシステムの他の態様は、前記印刷物の少なくとも一
部について、前記音声データとして、機械的に生成された機械音および肉声の少なくとも
２種類の音声データが前記印刷物に対応付けられて保存され、前記サービス要求によって
、少なくとも一方が選択可能に構成されている、ことを特徴とする。これによって、購入
者は快適な音声データを選択して取得することが可能となる。
【００１６】
本発明にかかる印刷物付加サービスシステムの他の態様は、前記サービス提供者側管理
装置が、前記サービス認証用のユーザＩＤと、前記印刷物識別情報とを対応付けて、利用
履歴を保存し、同一印刷物への重複したサービスを防止可能に構成したことを特徴とする
。
【００１７】
本発明にかかる印刷物付加サービスシステムの他の態様は、前記ユーザ情報が、少なく
とも前記印刷物識別コード、ユーザＩＤ、およびパスワードを含むことを特徴とする。印
刷物識別コード毎に対応づけてユーザＩＤ、およびパスワードで管理することにより、ユ
ーザ管理を確実に行うことが可能となる。
【００１８】
本発明にかかる印刷物付加サービスシステムの他の態様は、前記音声データの一部また
は全部が課金サービスデータであって、前記課金サービスデータの取得に必要な料金支払
い情報が前記サービス提供者側管理装置に記憶され、前記料金支払い情報に基づいて前記
課金サービスデータの提供可否が判定されることを特徴とする。これによって、音声デー
タを有償で提供するシステムを容易に実現できる。
【００１９】
本発明にかかる印刷物付加サービスシステムの他の態様は、印刷物の少なくとも一部に
ついて、前記音声データが、俳優の肉声、声優の肉声、地方の方言の少なくとも３種類の
音声データが前記印刷物に対応付けられて保存され、前記サービス要求によって、いずれ
か１つが選択可能に構成されている、ことを特徴とする。購入者に、より好ましい音声を
提供することができ、購入者が前記音声データを快適に聴取することができる。
【００２０】
本発明にかかる印刷物付加サービスシステムの制御方法の第１の態様は、印刷物の購入
者に当該印刷物の内容に係る音声データを通信回線を介して提供する印刷物付加サービス
システムにおいて、前記印刷物の販売時点で、当該印刷物に添付され当該印刷物の識別デ
ータを示す商品識別コードを読み取り印刷物識別コードを取得するステップと、前記印刷
物の販売時点で、前記購入者にサービスを提供するために付与される資格認証用のユーザ
ＩＤを発行するステップと、前記印刷物識別コード、ユーザＩＤを含むユーザ情報を取得
するステップと、ユーザのクライアント端末からのサービス要求を受信するステップと、
取得されたサービス要求が、有効かどうか判定するユーザ認証ステップと、有効と判定さ
れた場合、サービス要求で指定された音声データを前記ユーザのクライアント端末に送信
するステップと、を有することを特徴とする。
【００２１】
本発明にかかる印刷物付加サービスシステムの制御方法のプログラムの第１の態様は、
上記印刷物付加サービスシステムの制御方法における各ステップをコンピュータに実行さ
せることを特徴とする。このようなプログラムをコンピュータによって読み取り実行する
ことにより、上述した本発明の態様にかかる印刷物付加サービスシステムと同等の作用及
び効果が得られる。
【発明の効果】
【００２２】
以上説明したように、本発明の印刷物付加サービスシステムによれば、音声データを取
得して聴くことにより、印刷物の内容を容易に知ることができる。また、購入者が印刷物
の種類等に応じて好みの音声を選択することにより、印刷物の内容を快適に楽しむことが
できる。
【発明を実施するための最良の形態】
【００２３】
図面を参照して本発明の好ましい実施の形態における印刷物付加サービスシステムの構
成について詳細に説明する。なお、同一機能を有する各構成部については、図示及び説明
簡略化のため、同一符号を付して示す。
【００２４】
図１は、本発明の実施の形態に係る印刷物付加サービスシステムの構成を示すブロック
図である。本実施形態の印刷物付加サービスシステム１０は、印刷物２０を販売する販売
者側サービス端末１１と、サービス提供者側管理装置（サーバ）１２とから構成されてい
る。
【００２５】
販売者側サービス端末１１は、印刷物２０の販売時点で、印刷物２０に添付されたＲＦ
ＩＤ（Radio Frequency Identification）２１のような媒体に記録された印刷物識別コー
ドを読み取り印刷物識別情報を取得する印刷物識別情取得手段１３と、印刷物２０の内容
に係る音声データを購入者が取得するのに必要な資格認証用のユーザＩＤを発行するユー
ザＩＤ発行手段１４とを備えている。印刷物識別コードは、ＲＦＩＤ２１ではなく、磁気
記録媒体その他の記憶媒体へ記録又は記憶されても、バーコードまたは２次元コード等の
符号として印刷されてもよいが、機械読み取り可能な媒体に記録（記憶）または印刷され
ていることが好ましい。尚、本実施形態では、ＲＦＩＤ２１を使用する場合を用いて説明
する。
【００２６】
サービス提供者側管理装置１２は、印刷物識別コード、ユーザＩＤを含むユーザ情報を
取得するユーザ情報取得手段１５と、各種音声データを印刷物識別コードと対応させて保
存する記憶手段１６と、ユーザのクライアント端末２２からのサービス要求を受信するサ
ービス要求取得手段１７と、取得されたサービス要求が有効かどうか判定するユーザ認証
手段１８と、有効と判定された場合、サービス要求で指定された音声データをクライアン
ト端末２２に送信する音声データ送信手段１９とを備えている。
【００２７】
印刷物２０として、例えば小説などの文学書の他、専門書や子供向けの絵本などであっ
てよい。さらには、学術論文などの特定分野で利用される印刷物であってもよい。印刷物
２０の音声データは、印刷物２０に記載されている内容を読み上げた音読データを少なく
とも含んでいる。
【００２８】
印刷物２０に添付されたＲＦＩＤ２１には、印刷物２０を特定するための印刷物識別コ
ードが保存されており、ＲＦＩＤ２１を印刷物識別情取得手段１３で読み取る。そのため
、印刷物識別情報取得手段１３は、ＲＦＩＤリーダを備えている。さらに、ＲＦＩＤ２１
を用いた本実施形態では、販売者側サービス端末１１にＲＦＩＤライターを備えたユーザ
情報書き込み手段を追加することにより、ユーザ情報をＲＦＩＤ２１に書き込ませるよう
にすることも可能である。
【００２９】
なお、印刷物識別コードをＲＦＩＤ２１に記憶させる代わりに他の媒体に記録する場合
には、記録媒体に応じた読み取り装置が用いることが必要となる。例えば、印刷物識別コ
ードとしてバーコードを用いた場合には、印刷物識別情報取得手段１３はバーコードリー
ダを備えるように構成され、印刷物識別コードが磁気カードに記録される場合には磁気情
報読取装置が設けられる。また、販売者側サービス端末１１に磁気情報書込装置、バーコ
ード等印刷装置を備えたユーザ情報書き込み手段を追加することも可能である。
【００３０】
本実施形態の印刷物付加サービスシステム１０では、印刷物２０の内容を音読した音声
データを、印刷物２０の購入者のみに提供するようにしている。そこで、購入者を特定す
るために、印刷物２０が購入された時点で販売者が購入者に資格認証用のユーザＩＤを通
知するようにしている。あるいは、印刷物２０が購入された時点では、購入者の通知先（
例えばメールアドレス）を含む購入者情報を販売者に連絡し、後で販売者またはサービス
提供者からユーザＩＤを通知先に通知するようにしてもよい。
【００３１】
サービス提供者側管理装置１２において、ユーザ情報取得手段１５は販売者側サービス
端末１１から印刷物識別コード、ユーザＩＤを含むユーザ情報を取得する。ユーザ情報と
して、さらにパスワードを含むようにするのがよい。これらのユーザ情報は、購入者がク
ライアント端末２２からサービス提供者側管理装置に接続して音声データの提供を受けよ
うとする際に必要となるものである。
【００３２】
ユーザ情報取得手段１５は、サービス認証用のユーザＩＤと、印刷物識別情報とを対応
付けて利用履歴を保存し、同一印刷物への重複したサービスを防止するように構成するこ
とも可能である。記憶手段１６は、後述の各種音声データを印刷物識別コードと対応させ
て保存している。
【００３３】
サービス要求取得手段１７は、ユーザのクライアント端末２２からサービス要求を受信
する手段であり、サービス要求を受信するとユーザ認証手段１８でこのサービス要求が有
効かどうか判定する。ユーザ認証手段１８でサービス要求が有効と判定された場合には、
音声データ送信手段１９によりサービス要求で指定された音声データをクライアント端末
２２に送信する。
【００３４】
購入者がサービス提供者側管理装置１２から取得できる音声データについて、図２に示
す選択画面３１を用いて以下に説明する。以下で説明するサービス選択画面は、いずれも
サービス提供者側管理装置１２のサービス要求取得手段１７から提供されるものである。
図２は、クライアント端末２２に表示される音声データの選択画面の一例を示す図であり
、選択画面３１から希望する音声データを選択してクライアント端末２２にあるいは携帯
再生器２３にダウンロードすることができる。
【００３５】
サービス提供者側管理装置１２の記憶手段１６には、音声データとして少なくとも印刷
物２０に記載されている文章を読み上げた音読データを含む各種音声データを任意に記憶
させることができる。例えば、音読データとして、機械的に生成された機械音による音読
データ、所定の人物の肉声による音読データ等を含んでおり、選択画面３１から機械音の
選択ボタン３２か肉声の選択ボタン３３かのいずれかを選択することができる。
【００３６】
記憶手段１６に記憶される音声データをさらに例示すると、俳優又は声優の肉声による
音読データ、俳優又は声優の肉声による音読データの中でも、さらに標準語による肉声の
音声データ及び各地方の方言による肉声のそれぞれの音声データ等を各種保存しておくこ
とができる。このように、記憶手段１６に記憶されている各種の音声データは、選択画面
３１において希望の音声データを選択することができる。例えば、肉声の選択ボタン３３
が選択されると、次にラジオボタン３４から俳優の肉声か、声優の肉声か、あるいは方言
による肉声かのいずれかを選択する。声優としては、例えばアニメーションキャラクタの
声優を選択できるようにすることができる。
【００３７】
ラジオボタン３４で俳優が選択されると、俳優を選択するプルダウンメニュー３５の選
択が可能となる。プルダウンメニュー３５から希望する俳優が音読した音声データを選択
してダウンロードすることができる。同様にして、ラジオボタン３４で声優が選択される
と、声優を選択するプルダウンメニュー３６が選択可能となり、希望する声優が音読した
音声データをダウンロードすることが可能となる。さらに、ラジオボタン３４で方言が選
択されると、各地方の方言を選択するプルダウンメニュー３６が選択可能となり、希望す
る方言で音読された音声データをダウンロードすることが可能となる。
【００３８】
購入者側サービス取得手段１３で表示される音声データの選択画面の別の実施例を図３
に示す。図３に示す選択画面４１では、図２に示す選択画面３１にさらにバックグランド
ミュージック（ＢＧＭ）を選択するボタン４２が追加されており、ＢＧＭボタン４２がク
リックされると、ＢＧＭを選択するためのプルダウンメニュー４３が選択可能となる。プ
ルダウンメニュー４３から希望する音楽が選択されると、上記で選択された音声データに
さらにプルダウンメニュー４３で選択された音楽を追加してダウンロードすることができ
る。
【００３９】
購入者側サービス取得手段１３で表示される音声データの選択画面のさらに別の実施例
を図４に示す。図４に示す選択画面５１は、肉声選択ボタン３３が選択されさらにラジオ
ボタン３４で俳優または声優が選択された場合に、印刷物２０に記載されている登場人物
毎に俳優または声優を選択するためのプルダウンメニュー５２が表示されるように形成さ
れている。
【００４０】
図４に示す選択画面５１では、音声データとして肉声選択ボタンがクリックされ、ラジ
オボタン３４で俳優が選択された例を示している。このとき、選択画面５１には俳優を選
択するためのプルダウンメニュー５２が登場人物毎に表示される。このように、登場人物
毎に肉声を選択できるようにすることにより、印刷物２０の音読をより快適に聴取するこ
とが可能となる。
【００４１】
本実施形態の印刷物付加サービスシステム１０により、印刷物２０を購入してから音声
データの提供を受けるまでの処理の流れの一実施例を、図５を用いて以下に説明する。図
５において、まず印刷物２０が購入されると、販売者が販売者側サービス端末１１の印刷
物識別情報取得手段１３を用いてＲＦＩＤ２１を読み取り、ＲＦＩＤ２１に記録されてい
る印刷物識別コードを入力する（ステップＳ１）。
【００４２】
印刷物識別情報取得手段１３で印刷物識別コードを読み取った後は、印刷物２０に対し
て再び同様のサービス提供が行われないよう、ＲＦＩＤ２１に再発行防止情報を記録する
のが好ましい（ステップＳ２）。再発防止情報として、購入者のユーザ情報を書き込むよ
うにしてもよい。
【００４３】
続いて、販売者は印刷物２０の購入者に対し、サービス提供に必要な資格認証用のユー
ザＩＤを提供する（ステップＳ３）。ユーザＩＤは、購入された印刷物２０に係る音声デ
ータを購入者のみが取得できるようにするためのデータであって、さらにパスワードを用
いるようにするのが好ましい。
【００４４】
なお、パスワードについては、購入者が自由に決められるようにし、購入者が決定した
パスワードを販売者側サービス端末１１を経由してサービス提供者側管理装置１２に登録
させるようにすることも可能である。
【００４５】
サービス提供者側管理装置１２では、ユーザ情報取得手段１５により、印刷物識別コー
ドとユーザＩＤを含むユーザ情報を取得させる（ステップＳ４）。なお、ユーザ情報取得
手段１５が取得したユーザＩＤ及びパスワードを、以下では登録済みＩＤ及び登録済みパ
スワードと呼ぶこととする。
【００４６】
購入者はユーザＩＤとパスワードとをクライアント端末２２のサービス開始用画面に入
力することで、サービス提供者側管理装置１２が提供するサービスの利用を開始すること
ができる（ステップＳ５）。
【００４７】
ユーザＩＤとパスワード、及び希望の音声データがクライアント端末２２から入力され
ると、これらのサービス要求データがサービス提供者側管理装置１２に送信され、サービ
ス要求取得手段１７で受信される（ステップＳ６）。
【００４８】
サービス要求取得手段１７で取得されたサービス要求データは、ユーザ認証手段１８に
より有効か否か判定される（ステップＳ７）。可否判定では、少なくともクライアント端
末２２から送信されたユーザＩＤ及びパスワードと、登録済みＩＤ及び登録済みパスワー
ドとをそれぞれ比較する。
【００４９】
サービス提供者側管理装置１２において、サービス要求が有効であることが確認される
と、要求された音声データが音声データ送信手段１９によりクライアント端末２２に送信
される（ステップＳ８）。  
【００５０】
本実施形態の印刷物付加サービスシステム１０では、同一の購入者に対して音声データ
を重複して提供しないようにしている。これを実現するために、サービス提供者側管理装
置１２において、サービス認証用のユーザＩＤと印刷物識別情報とを対応付けて利用履歴
を保存するようにしている。
【００５１】
利用履歴として、すでに購入者に提供した音声データの範囲（先頭及び末尾のそれぞれ
のページ及び行番号、範囲が複数に分かれている場合にはそれぞれの先頭と末尾）を保存
させるようにしている。
【００５２】
上記実施形態では、印刷物付加サービスシステム１０が提供する音声データは、購入者
に対して全て課金されずに提供されるものとしていた。本発明の印刷物付加サービスシス
テムの別の実施形態として、音声データの提供に対して課金するようにした実施形態を以
下に説明する。
【００５３】
図６は、本発明の別の実施形態の印刷物付加サービスシステム６０を示すブロック図で
ある。本実施形態の印刷物付加サービスシステム６０では、サービス提供者側管理装置１
２に課金手段６１が追加されている。課金手段６１は、サービス要求取得手段１７で取得
したサービス要求に対して課金される場合、課金される金額の支払いが可能か否かを判定
するものである。
【００５４】
購入者に対する課金方法として、購入者が印刷物２０を購入するときに、販売者にサー
ビス利用料金を前払いで支払う方法がある。この場合には、販売者が販売者側サービス端
末１１に前払い料金のデータを入力し、この前払い料金データをサービス提供者側管理装
置１２に送信して課金手段６１に保存させる。
【００５５】
また、購入者に対する別の課金方法として、購入者がサービス利用料金を支払う支払い
口座あるいはクレジットカードを指定する方法もある。購入者が指定する支払い口座デー
タあるいはクレジットカードデータを販売者側サービス端末１１あるいはクライアント端
末２２から入力し、これをサービス提供者側管理装置１２に送信して課金手段６１に保存
させる。
【００５６】
図６に示す印刷物付加サービスシステム６０のサービス提供者側管理装置１２では、以
下のような処理を行う。クライアント端末２２からサービス提供者側管理装置１２に音声
データの要求があると、ユーザ認証手段１８がまず、サービス要求に対し課金されるか否
かを判定し、課金される場合には課金手段６１を実行させる。
【００５７】
課金手段６１では、事前に記憶された音声データの種類毎の課金金額のデータから、要
求された音声データの課金金額を決定し、前払い料金から支払い可能かを判定し、不足す
る場合には支払い口座データあるいはクレジットカードデータが登録されているかを判定
し、いずれかが登録されている場合には課金金額の支払が可能と判定する。
【００５８】
課金手段６１で課金金額の支払が可能と判定されると、ユーザ認証手段１８に対し支払
い可能であることを通知する。その後、ユーザ認証手段１８では、第１の実施形態と同様
にサービス要求が有効か否かを判定する。サービスデータの提供を許可する場合には、課
金手段６１に対し課金金額の支払処理を行わせる。
【００５９】
なお、本実施形態の印刷物付加サービスシステム６０が提供する音声データのうち、一
部の種類の音声データに対してのみ課金される場合には、購入者に対して課金されること
を確認するようにしてもよい。すなわち、クライアント端末２２から課金される音声デー
タの要求がサービス提供者側管理装置１２に送信されてきた場合、サービス提供者側管理
装置１２で課金される音声データが要求されていることを判定し、クライアント端末２２
に課金されることを表示させる。そして、購入者がこれを確認して課金される音声データ
をさらに要求した場合に、サービス提供者側管理装置１２から課金される音声データを送
信するようにする。
【００６０】
さらに、上記いずれの実施形態でも音声データを１回限り提供するようにしていたが、
購入者が課金されることを承諾する場合には、音声データを２回以上提供できるようにし
てもよい。
【００６１】
なお、本実施の形態における記述は、本発明に係る印刷物付加サービスシステムの一例
を示すものであり、これに限定されるものではない。本実施の形態における印刷物付加サ
ービスシステムの細部構成及び詳細な動作等に関しては、本発明の趣旨を逸脱しない範囲
で適宜変更可能である。
【図面の簡単な説明】
【００６２】
【図１】本発明の実施の形態に係る印刷物付加サービスシステムの構成を示すブロック図である。
【図２】クライアント端末に表示される音声データ選択画面の例である。
【図３】クライアント端末に表示される音声データ選択画面の別の例である。
【図４】クライアント端末に表示される音声データ選択画面のさらに別の例である。
【図５】印刷物を購入してから音声データの提供を受けるまでの処理の流れを示す流れ図である。
【図６】本発明の別の実施形態の印刷物付加サービスシステムを示すブロック図である。
【符号の説明】
【００６３】
１０、６０  印刷物付加サービスシステム        １１  販売者側サービス端末
１２  サービス提供者側管理装置                １３  印刷物識別情報取得手段
１４  ユーザＩＤ発行装置                      １５  ユーザ情報取得手段
１６  記憶手段                                １７  サービス要求取得手段
１８  ユーザ認証手段                          １９  音声データ送信手段 
２０  印刷物                                  ２１  印刷物識別コード
２２  クライアント端末                        ２３  携帯再生器
３１、４１、５１  音声データ選択画面          ３２、３３、４２  ボタン
３４  ラジオボタン
３５〜３７、４３、５２  プルダウンメニュー    ６１  課金手段
【図１】
2007304677.tif 000003
【図２】
2007304677.tif 000004
【図３】
2007304677.tif 000005
【図４】
2007304677.tif 000006
【図５】
2007304677.tif 000007
【図６】
2007304677.tif 000008